(57)【要約】【課題】表示装置の液晶表示部のライトガイド形状が複雑で、組立性が悪く、したがってコスト的に高価になっている。【解決手段】リード端子を有する液晶表示素子１０と、発光素子１５を設けたプリント基板１２とからなり、前記液晶表示素子を前記プリント基板に装着後にライトガイド１１を両者の間に挿入する構成としている。【選択図】　図１
2004101723.tif 000002
【特許請求の範囲】
【請求項１】
リード端子を有する液晶表示素子と、発光素子を設けたプリント基板とからなり、前記液晶表示素子を前記プリント基板に装着後にライトガイドを両者の間に挿入する構成としたことを特徴とする表示装置。
【請求項２】
ライトガイドは、プリント基板と接する面の一部に凹部を形成してなる請求項１に記載の表示装置。
【請求項３】
ライトガイドは、発光素子から液晶表示素子に向かう方向に傾きを形成してなる請求項１に記載の表示装置。
【請求項４】
ライトガイドは、内側に鏡面仕上げを形成してなる請求項１に記載の表示装置。
【請求項５】
ライトガイドは、液晶表示素子と接する面にばね製を有する部材を備えたことを特徴とする請求項１に記載の表示装置。
【請求項６】
ライトガイドは、プリント基板と接する面に凸部を有し、対応するプリント基板の位置に穴を有することを特徴とする請求項１に記載の表示装置。
【請求項７】
ライトガイドが及び発光素子を両方とも具備しない構成とした請求項１に記載の表示装置。
【発明の詳細な説明】
【０００１】
【発明の属する技術分野】
本発明は、液晶表示素子を有する電子機器の表示装置に関するものである。
【０００２】
【従来の技術】
従来この種の表示装置としては、例えば特開平０８−１８４８２９号公報に記載されるようなものがあった。図４は前記公報に記載された従来の表示装置を示すものである。図４において４はカバー、４ａはカバー反射面、５はライトガイド、５ｂはライトガイド反射面、６は導光板である。
【０００３】
【発明が解決しようとする課題】
しかしながら前記従来の構成では表示部の液晶表示素子の裏側端面からライトを照射し、表示面全体に光を拡散させなければならず、光を所定方向に導くとともに、表示面全体に均一に拡散させるため、裏表両面に粗面を持つ導光板６が必要である。またライトガイド５は、液晶表示素子、導光板６及び発光ダイオードをプリント基板２に固定する機能を持っているためその構造が複雑になり、コスト的に高価になっていた。特に組立性を考慮するとライトガイドを液晶表示素子の組立時に必ず同時に組み立てねばならず煩雑な組立になっていた。
【０００４】
本発明は前記従来の課題を解決するもので簡単な構成により表示装置の表示品質を落とすことなくまた組立性も向上し、コスト的にも安価な表示装置を提供することを目的とする。
【０００５】
【課題を解決するための手段】
前記従来の課題を解決するために、本発明の表示装置はリード端子を有する液晶表示素子と、発光素子を設けたプリント基板とからなり、前記液晶表示素子を前記プリント基板に装着後にライトガイドを両者の間に挿入することを特徴とする構成としたものである。
【０００６】
これによって、液晶表示素子が簡単な構成で組立てできるようになり、表示面の品質を落とすことなく表示装置を形成することができる。
【０００７】
【発明の実施の形態】
請求項１に記載の発明はリード端子を有する液晶表示素子と、発光素子を設けたプリント基板とからなり、前記液晶表示素子を前記プリント基板に装着後にライトガイドを両者の間に挿入する構成としたことにより、バックライトが必要な時にはライトガイドを後で装着すればよく、組立上の順序の制約を受けずに表示装置を提供できる。
【０００８】
請求項２に記載の発明は、特に、請求項１に記載の表示装置をライトガイドがプリント基板と接する面の一部に凹部を形成したことにより、プリント基板上に既に設けられている発光素子にぶつかることなくスムーズにプリント基板と液晶表示素子の間の決められた位置にライトガイドを装着することが出来る。
【０００９】
請求項３に記載の発明は特に、請求項１に記載の表示装置を、ライトガイドがプリント基板上に設けられた発光素子から液晶表示素子に向かう方向に傾きを有することにより光の反射、拡散が容易に実施され、簡単な構成ながら光を効率よく伝達でき高品質の表示装置に出来る。
【００１０】
請求項４に記載の発明は特に、請求項１に記載の表示装置を、ライトガイドの内側に鏡面仕上げを形成することにより、光の反射、拡散が更に容易に実施され、簡単な構成ながら光を更に効率よく拡散でき、高品質の表示装置とすることが出来る。
【００１１】
請求項５に記載の発明は特に、請求項１に記載の表示装置を、ライトガイドが液晶表示素子と接する面にばね性を有する部材を備えたことを特徴とすることにより、ライトガイドを挿入した後で液晶表示素子とプリント基板の間でライトガイドが固定され、表示装置の装着されている本体が振動しても相対的に移動することがなく安定した表示が可能な表示装置となっている。
【００１２】
請求項６に記載の発明は特に、請求項１に記載の表示装置を、ライトガイドがプリント基板と接する面に凸部を有し、対応するプリント基板の位置に穴を有することを特徴とすることによりライトガイドを挿入した瞬間に、ライトガイドとプリント基板の位置が固定し、ライトガイドが固定され光が安定する。
【００１３】
請求項７に記載の発明は特に、請求項１に記載の表示装置をライトガイドおよび発光素子を両方共に具備しない構成としたことを特徴とすることにより、バックライトを必要としない表示素子の場合にもそのまま液晶表示素子を組み立てればよく、大きな変更をすることもなく容易に表示装置を組み立てることが可能となる。
【００１４】
【実施例】
以下本発明の実施例について、図面を参照しながら説明する。
【００１５】
（実施例１）
図１は本発明の第１の実施例における表示装置の断面図を示すものである。
図１において１０は液晶表示素子、１０ａはリード端子、１１はライトガイド、１２はプリント基板、１３は拡散シート、１５は発光素子である。
【００１６】
以上のように構成された本実施例における動作作用を説明する。
【００１７】
まず、図１において、ライトガイド１１とプリント基板１２及び拡散シート１３液晶表示素子１０で閉じた空間１６を形成している。光が発光素子１５から照射されると、閉じた空間１６がプリント基板１２上の光源である発光素子１５の光を液晶表示素子１０まで導いている。更に液晶表示素子１０の裏面には導かれた光を表面の凹凸により拡散する拡散シート１３が液晶表示素子１０とライトガイド１１の間に組み立てられている。そのためライトガイド１１によって導かれた光は拡散シート１３により広い範囲に均一に拡散され液晶表示素子１０を通過する。そしてその光により、光の透過部及び不透過部のある液晶表示部のコントラストがはっきりして見やすくなり、電子機器を使用する人の認識しやすい表示となっている。
【００１８】
以上のように本実施例においてはリード端子を有する液晶表示素子と、発光素子を設けたプリント基板とからなり、前記液晶表示素子を前記プリント基板に装着後にライトガイドを両者の間に挿入する構成とし、簡単な組立方法にも拘わらず、品質を落とすことなく表示部分を形成することができる。
【００１９】
また本実施例では図２においてライトガイドの側面に凹部１７を設けたことにより、ライトガイドをプリント基板に入れる際に発光素子がライトガイドに当ることがないためスムーズに入れることが出来る。
【００２０】
（実施例２）
図３は本発明の第２の実施例の表示装置の断面図である。
【００２１】
図３において実施例１の構成と異なるところはライトガイド１１表示装置の前面から発光素子にむけて傾斜が設けられている点である。なお、実施例１と同一符号のものは同一構造を有し，説明は省略する。
【００２２】
以上のように構成された本実施例における動作作用を説明する。
【００２３】
まず、図３において、光が発光素子１５から照射される。プリント基板１２とライトガイド１１が組み合わされた空間によりプリント基板１２上の光源である発光素子１５の光を反射する。ところが液晶表示素子１０に向かってライトガイド１１に傾斜がついているため、光は表示部前面にある液晶表示素子１０まで光を放出する方向に導かれている。更に液晶表示素子１３の裏面には導かれた光を拡散する拡散シート１３がある。そのため傾斜のついたライトガイド１１によって導かれた光は拡散シート１３表面の凹凸により広い範囲に均一に拡散され前面に位置する液晶表示素子１０の透過部を通過する。そしてその光により光の透過部と非透過部によりコントラストがついているため、液晶表示部の表示が見やすくなり、電子機器を使用する人の認識しやすい表示となっている。
【００２４】
また本実施例の表示装置の、ライトガイド１１の傾斜部内側を鏡面にすることにより、更に光の反射を効率良くすることができる。そして発光源の光の強度を落とすことなく効率的に伝えることができ、表示部の表示品質を向上させることができる。特にこの方法は表示部の構成を変えることなく、また特別な方法を用いることなく形成することができ、表示部の品質を向上することができる。
【００２５】
また、本実施例ではライトガイドの液晶表示部と接触する部分にばね性を持たせることで、ライトガイドを液晶表示部とプリント基板の間に挿入すればそのばね性により固定されている液晶表示部を押し付けることにより、ライトガイドが移動しなくなり固定される。したがって安定した光源となる。
【００２６】
また、本実施例ではライトガイドがプリント基板と接する面に凸部を有し、対応するプリント基板の位置に穴を有することによりライトガイドが移動しなくなり固定される。したがって安定した光源となる。
【００２７】
また、本実施例で表示装置の使用される環境が十分明るければ、ライトガイドと発光素子をともに設けない構成にも出来る。本実施例ではしたがってバックライトはなくなるが表示装置の周囲が明るいため表示装置としては機能する。
【００２８】
【発明の効果】
以上のように請求項１〜７の記載の発明によれば、表示装置の液晶表示部を簡単な構成で形成することができ、従って製造に関するコストを低下させることができる。また性能面でも従来品以上の表示品質を確保できる。
【図面の簡単な説明】
【図１】本発明の実施例１における表示装置の断面図
【図２】本発明の実施例１における表示装置の側面図
【図３】本発明の実施例２における表示装置の断面図
【図４】従来の表示装置断面図
【符号の説明】
１０　液晶表示素子
１０ａ　リード端子
１１　ライトガイド
１２　プリント基板
１３　拡散シート
１５　発光素子
１６　閉じた空間
１７　凹部
【図１】
2004101723.tif 000003
【図２】
2004101723.tif 000004
【図３】
2004101723.tif 000005
【図４】
2004101723.tif 000006